(57)【要約】【課題】容易に周波数ダイバシティを行うことが可能となる。【解決手段】ラジオ受信機１１０は、Ａ／Ｄ変換部１５６が、１の受信部１５４が受信した所定の周波数帯域のＲＦ信号を一度にデジタルＲＦ信号に変換し、複数のミキサ機能部１７０が、デジタルＲＦ信号を、搬送周波数の異なるＲＦ信号に対応するＩＦ信号にそれぞれ変換し、同一判定部１７６が、特定部１７２によって、ユーザの操作入力に応じた搬送周波数のＲＦ信号に対応するＩＦ信号に変換していると特定されたミキサ機能部１７０ａが変換した１のＩＦ信号の番組内容と、他のミキサ機能部１７０ｂが変換したＩＦ信号の番組内容が同一であるか否か判定し、合成部１８０が、同一と判定された１または複数のＩＦ信号とを合成して合成番組信号を生成し、合成番組信号を音声出力部へ出力させる。【選択図】図２
2012134738.tif 000002
【特許請求の範囲】
【請求項１】
所定の周波数帯域のＲＦ信号を受信する１の受信部と、
前記受信部が受信した前記所定の周波数帯域のＲＦ信号をデジタルＲＦ信号に変換する１のＡ／Ｄ変換部と、
前記デジタルＲＦ信号を、搬送周波数の異なるＲＦ信号に対応するＩＦ信号にそれぞれ変換する複数のミキサ機能部と、
前記複数のミキサ機能部のうち、ユーザの操作入力に応じた搬送周波数のＲＦ信号に対応するＩＦ信号に変換しているミキサ機能部を特定する特定部と、
特定された前記ミキサ機能部で変換されたＩＦ信号の番組内容と、他のミキサ機能部で変換されたＩＦ信号の番組内容とが同一であるか否か判定する同一判定部と、
前記特定されたミキサ機能部で変換されたＩＦ信号と、前記同一判定部によって同一と判定されたＩＦ信号とを合成して合成番組信号を生成する合成部と、
前記合成番組信号を音声出力部へ出力させる音声制御部と、
を備えることを特徴とするラジオ受信機。
【請求項２】
前記ミキサ機能部で変換された前記複数のＩＦ信号を検波する検波機能部と、
をさらに備え、
前記同一判定部は、検波されたＩＦ信号によって番組内容が同一であるか否かを判定することを特徴とする請求項１に記載のラジオ受信機。
【請求項３】
所定の周波数帯域のＲＦ信号を受信し、
受信した前記所定の周波数帯域のＲＦ信号をデジタルＲＦ信号に変換し、
複数のミキサ機能部において、前記デジタルＲＦ信号を、搬送周波数の異なるＲＦ信号に対応するＩＦ信号にそれぞれ変換し、
前記複数のミキサ機能部のうち、ユーザの操作入力に応じた搬送周波数のＲＦ信号に対応するＩＦ信号に変換しているミキサ機能部を特定し、
特定した前記ミキサ機能部で変換したＩＦ信号の番組内容と、他のミキサ機能部で変換したＩＦ信号の番組内容とが同一であるか否か判定し、
前記特定したミキサ機能部で変換したＩＦ信号と、同一と判定した前記ＩＦ信号とを合成して合成番組信号を生成し、
前記合成番組信号を音声出力部へ出力させることを特徴とするラジオ受信方法。
【請求項４】
所定の周波数帯域のＲＦ信号を受信するラジオ受信機に搭載されたコンピュータを、
前記受信部が受信した前記所定の周波数帯域のＲＦ信号をデジタルＲＦ信号に変換する１のＡ／Ｄ変換部と、
前記デジタルＲＦ信号を、搬送周波数の異なるＲＦ信号に対応するＩＦ信号にそれぞれ変換する複数のミキサ機能部と、
前記複数のミキサ機能部のうち、ユーザの操作入力に応じた搬送周波数のＲＦ信号に対応するＩＦ信号に変換しているミキサ機能部を特定する特定部と、
特定された前記ミキサ機能部で変換されたＩＦ信号の番組内容と、他のミキサ機能部で変換されたＩＦ信号の番組内容とが同一であるか否か判定する同一判定部と、
前記特定されたミキサ機能部で変換されたＩＦ信号と、前記同一判定部によって同一と判定されたＩＦ信号とを合成して合成番組信号を生成する合成部と、
前記合成番組信号を音声出力部へ出力させる音声制御部と
して機能させるためのプログラム。
【発明の詳細な説明】
【技術分野】
【０００１】
本発明は、ラジオ受信機、ラジオ受信方法およびプログラムに関する。
【背景技術】
【０００２】
無線通信において、通信品質の向上を図るためにダイバシティ技術が利用されている。ダイバシティ技術には、例えば、受信側で複数のアンテナを位置を異ならせて配置し、受信状態が最も良いアンテナを選択して受信を行うアンテナダイバシティや、送信側で、異なる複数の搬送波で同一のデータ信号を送信し、受信側において、受信状態が最も良い搬送波を選択したり、複数の搬送波のデータ信号を合成する周波数ダイバシティがある。
【０００３】
アンテナダイバシティを利用した技術として、例えば、１つのアンテナを通じて、２つの受信部（チューナ）でそれぞれ受信したＲＦ信号を復調し、得られた２つの映像データを合成して表示する受信装置において、２つの受信部において好適な受信状態を得られるようにアンテナの向きを制御する技術が開示されている（例えば、特許文献１）。
【０００４】
また、周波数ダイバシティを利用した技術として、例えば、複数のアンテナごとに設けられたチューナでそれぞれ受信した、搬送波の周波数が異なる受信信号を合成するデジタルデータ受信機が開示されている（例えば、特許文献２）。
【先行技術文献】
【特許文献】
【０００５】
【特許文献１】特開２００６−１６５９２６号公報
【特許文献２】特開２００７−１６５９６１号公報
【発明の概要】
【発明が解決しようとする課題】
【０００６】
ところで、近年、１つのアンテナを介して、２０ＭＨｚ以上の帯域幅のＲＦ信号を受信し、受信した２０ＭＨｚ以上の帯域幅のＲＦ信号を一度にＡ／Ｄ変換できる技術（Wide Band RF 技術）が開発されている。この技術を利用したラジオ受信機では、１つのアンテナおよび１つのチューナで、１または複数のラジオ放送局が放送する、２０ＭＨｚの帯域幅に含まれる複数の搬送周波数（搬送波の周波数）のＲＦ信号を一度に復調することができる。
【０００７】
そこで本発明は、１または複数のラジオ放送局の搬送周波数のＲＦ信号を１つのアンテナおよび１つのチューナで一度に取得できる技術を利用して周波数ダイバシティを行うことが可能な、ラジオ受信機、ラジオ受信方法およびプログラムを提供することを目的としている。
【課題を解決するための手段】
【０００８】
上記課題を解決するために、本発明のラジオ受信機は、所定の周波数帯域のＲＦ信号を受信する１の受信部と、受信部が受信した所定の周波数帯域のＲＦ信号をデジタルＲＦ信号に変換する１のＡ／Ｄ変換部と、デジタルＲＦ信号を、搬送周波数の異なるＲＦ信号に対応するＩＦ信号にそれぞれ変換する複数のミキサ機能部と、複数のミキサ機能部のうち、ユーザの操作入力に応じた搬送周波数のＲＦ信号に対応するＩＦ信号に変換しているミキサ機能部を特定する特定部と、特定されたミキサ機能部で変換されたＩＦ信号の番組内容と、他のミキサ機能部で変換されたＩＦ信号の番組内容とが同一であるか否か判定する同一判定部と、特定されたミキサ機能部で変換されたＩＦ信号と、同一判定部によって同一と判定されたＩＦ信号とを合成して合成番組信号を生成する合成部と、合成番組信号を音声出力部へ出力させる音声制御部とを備えることを特徴とする。
【０００９】
上記ラジオ受信機は、ミキサ機能部で変換された複数のＩＦ信号を検波する検波機能部と、をさらに備え、同一判定部は、検波されたＩＦ信号によって番組内容が同一であるか否かを判定してもよい。
【００１０】
上記課題を解決するために、本発明のラジオ受信方法は、所定の周波数帯域のＲＦ信号を受信し、受信した所定の周波数帯域のＲＦ信号をデジタルＲＦ信号に変換し、複数のミキサ機能部において、デジタルＲＦ信号を、搬送周波数の異なるＲＦ信号に対応するＩＦ信号にそれぞれ変換し、複数のミキサ機能部のうち、ユーザの操作入力に応じた搬送周波数のＲＦ信号に対応するＩＦ信号に変換しているミキサ機能部を特定し、特定したミキサ機能部で変換したＩＦ信号の番組内容と、他のミキサ機能部で変換したＩＦ信号の番組内容とが同一であるか否か判定し、特定したミキサ機能部で変換したＩＦ信号と、同一と判定したＩＦ信号とを合成して合成番組信号を生成し、合成番組信号を音声出力部へ出力させることを特徴とする。
【００１１】
上記課題を解決するために、本発明のプログラムは、所定の周波数帯域のＲＦ信号を受信するラジオ受信機に搭載されたコンピュータを、受信部が受信した所定の周波数帯域のＲＦ信号をデジタルＲＦ信号に変換する１のＡ／Ｄ変換部と、デジタルＲＦ信号を、搬送周波数の異なるＲＦ信号に対応するＩＦ信号にそれぞれ変換する複数のミキサ機能部と、複数のミキサ機能部のうち、ユーザの操作入力に応じた搬送周波数のＲＦ信号に対応するＩＦ信号に変換しているミキサ機能部を特定する特定部と、特定されたミキサ機能部で変換されたＩＦ信号の番組内容と、他のミキサ機能部で変換されたＩＦ信号の番組内容とが同一であるか否か判定する同一判定部と、特定されたミキサ機能部で変換されたＩＦ信号と、同一判定部によって同一と判定されたＩＦ信号とを合成して合成番組信号を生成する合成部と、合成番組信号を音声出力部へ出力させる音声制御部として機能させることを特徴とする。
【００１２】
上述したラジオ受信機の技術的思想に基づく構成要素やその説明は、当該ラジオ受信方法およびプログラムにも適用可能である。
【発明の効果】
【００１３】
本発明によれば、１または複数のラジオ放送局の搬送周波数のＲＦ信号を１つのアンテナおよび１つのチューナで一度に取得できる技術を利用して周波数ダイバシティを行うことが可能となる。
【図面の簡単な説明】
【００１４】
【図１】ラジオ受信システムの概略的な接続関係を示した説明図である。
【図２】ラジオ受信機の概略的な構成を示した機能ブロック図である。
【図３】受信部、Ａ／Ｄ変換部、ミキサ機能部、特定部、検波機能部の具体的な構成を示した機能ブロック図である。
【図４】同一判定部の処理を説明するための説明図である。
【図５】ラジオ受信方法の処理の流れを説明したフローチャートである。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（ラジオ受信システム１００）
図１は、ラジオ受信システム１００の概略的な接続関係を示した説明図である。ラジオ受信システム１００は、複数のラジオ放送局１０２と、複数の放送塔１０４と、ラジオ受信機１１０とを含んで構成される。
【００１７】
ラジオ放送局１０２は、地上波ラジオ放送、例えば、アナログ方式のＲＦ信号や、デジタル方式のＲＦ信号、アナログ方式とデジタル方式とを同時に提供するハイブリッド方式のＲＦ信号を提供する。また、ラジオ放送局１０２は、ＲＦ信号において、オーディオ信号にデータ信号を重畳することができる。例えば、後述する例では、デジタル方式のＲＦ信号にデータ信号として、欧州におけるＲＤＳ（Radio Data System）情報を重畳している。
【００１８】
放送塔１０４は、位置を異にして複数配置され、複数のラジオ放送局１０２が放送する複数のＲＦ信号を発信する。
【００１９】
ラジオ受信機１１０は、複数のラジオ放送局１０２がそれぞれ放送する複数のＲＦ信号を、放送塔１０４を介して受信し、受信したＲＦ信号をＩＦ（Intermediate Frequency：中間周波数）信号に変換し、そのＩＦ信号を復調した番組データに含まれるオーディオデータをスピーカ等で構成された音声出力部に出力させる。
【００２０】
ここで、ラジオ受信機１１０が車両等の移動体１０６に搭載される場合、ラジオ受信機１１０の位置によって、必要な受信電波強度を確保できない場合がある。そこで、欧州における地上波ラジオ放送において、ラジオ放送局１０２は、複数の周波数の搬送波で同一の番組を放送している。
【００２１】
一方、１つのアンテナを介して、２０ＭＨｚ以上の帯域幅のＲＦ信号を受信し、受信した２０ＭＨｚ以上の帯域幅のＲＦ信号を一度にデジタルＲＦ信号に変換できる技術（Wide Band RF技術）が開発されている。この技術を利用したラジオ受信機１１０では、１または複数のラジオ放送局１０２が放送する複数のＲＦ信号を１つのアンテナおよび１つのチューナで一度に取得できる。
【００２２】
そこで、本実施形態では、上述した、１または複数のラジオ放送局１０２が放送する複数の搬送周波数（搬送波の周波数）のＲＦ信号を１つのアンテナおよび１つのチューナで一度に取得できる技術を利用したラジオ受信機１１０において、周波数ダイバシティが可能なラジオ受信機１１０を提供することを目的とする。以下、ラジオ受信機１１０の具体的な構成について説明し、続いてラジオ受信機１１０を利用したラジオ受信方法について詳述する。
【００２３】
（ラジオ受信機１１０）
図２は、ラジオ受信機１１０の概略的な構成を示した機能ブロック図であり、図３は、受信部１５４、Ａ／Ｄ変換部１５６、ミキサ機能部１７０、特定部１７２、検波機能部１７４の具体的な構成を示した機能ブロック図である。図２および図３中、信号の流れを実線の矢印で示し、制御の流れを破線の矢印で示す。
【００２４】
図２に示すように、ラジオ受信機１１０は、操作部１５０と、１のアンテナ１５２と、１の受信部１５４と、１のＡ／Ｄ変換部１５６と、メモリ１５８と、中央制御部１６０と、音声出力部１６２とを含んで構成される。
【００２５】
操作部１５０は、操作キー、十字キー、ジョイスティック、ジョグダイヤル、タッチパネル等で構成され、ユーザの操作入力を受け付ける。アンテナ１５２は、地上波ラジオ放送の複数の搬送周波数のＲＦ信号を含む広周波数帯域のＲＦ信号を受信し、受信部１５４で処理可能な信号に変換する。
【００２６】
図３に示すように、受信部１５４は、ＲＦ信号を増幅する第１増幅器１５４ａと、ＲＦ信号の帯域幅を絞るバンドパスフィルタ（Band Pass Filter：ＢＰＦ）１５４ｂと、第２増幅器１５４ｃとを含んで構成され、複数のラジオ放送局１０２が放送する複数の搬送周波数のＲＦ信号を含む所定の周波数帯域（例えば、８７．５ＭＨｚ〜１０８．０ＭＨｚ）のＲＦ信号を受信する。受信部１５４が受信したＲＦ信号は、後述するＡ／Ｄ変換部１５６に出力される。
【００２７】
Ａ／Ｄ変換部１５６は、受信部１５４が受信した所定の周波数帯域のＲＦ信号を一度にデジタルＲＦ信号に変換（Ａ／Ｄ変換）する。
【００２８】
本実施形態において、Ａ／Ｄ変換部１５６は、サンプリング周波数が４０ＭＨｚ以上のものを想定しており、２０ＭＨｚ以上の帯域幅のＲＦ信号を一度にデジタルＲＦ信号に変換できる。したがって、Ａ／Ｄ変換部１５６は、例えば、欧州で利用されている地上波ラジオ放送の搬送波の周波数帯域である８７．５ＭＨｚ〜１０８．０ＭＨｚのＲＦ信号を一度にデジタルＲＦ信号に変換することが可能となる。
【００２９】
メモリ１５８は、ＲＡＭ（Random Access Memory）、フラッシュメモリ、ＨＤＤ（Hard Disk Drive）等で構成され、中央制御部１６０の各機能部の処理に必要な各種情報を保持する。
【００３０】
中央制御部１６０は、中央処理装置（ＤＳＰやＣＰＵ）、プログラム等が格納されたＲＯＭ、ワークエリアとしてのＲＡＭ等を含む半導体集積回路により、ラジオ受信機１１０全体を管理および制御する。また、本実施形態において、中央制御部１６０は、複数のミキサ機能部１７０、特定部１７２、検波機能部１７４、同一判定部１７６、スイッチ１７８、合成部１８０、音声制御部１８２としても機能する。
【００３１】
ミキサ機能部１７０（図中、１７０ａ、１７０ｂで示す）は、図３に示すように、ミキサ１８４ａと、発振器（局部発振器：Local Oscillator）１８４ｂと、低域通過フィルタ（ＬＰＦ：Low Pass Filter）１８４ｃとを含んで構成され、Ａ／Ｄ変換部１５６が変換したデジタルＲＦ信号を中間周波数（Intermediate Frequency：ＩＦ）に変換する。ここでは、中央制御部１６０がミキサ機能部１７０を２つ備える構成を例に挙げて説明する。
【００３２】
図３を用いて具体的に説明すると、例えば、Ａ／Ｄ変換部１５６が変換したデジタルＲＦ信号の帯域が８７．５ＭＨｚ〜１０８．０ＭＨｚであり、ミキサ機能部１７０が２つある場合、ミキサ機能部１７０ａは、ユーザによる操作部１５０への操作入力に応じた搬送周波数のＲＦ信号に対応するＩＦ信号に変換する。具体的に説明すると、操作部１５０を通じて、ユーザがラジオ放送局１０２の搬送周波数を設定すると、操作部１５０は、設定された周波数をミキサ機能部１７０ａに伝達する。そうすると、ミキサ機能部１７０ａは、デジタルＲＦ信号を、伝達された周波数を搬送波とするＲＦ信号に対応するＩＦ信号に変換する。ミキサ機能部１７０ｂは、８７．５ＭＨｚ〜１０８．０ＭＨｚ帯域において、例えば、５０ｋＨｚごとにデジタルＲＦ信号を順次抽出し、所定の閾値以上の信号強度のデジタルＲＦ信号をＩＦ信号に変換する。
【００３３】
ここで、発振器１８４ｂがミキサ１８４ａに出力する信号の発振周波数を変更することによって、ミキサ１８４ａは、搬送周波数の異なるデジタルＲＦ信号を同一の周波数（例えば、１ＭＨｚ）のＩＦ信号にすることができる。
【００３４】
なお、本実施形態の中央制御部１６０は、ミキサ機能部１７０を例えば２つ備える構成であるため、ミキサ機能部１７０ｂは、発振器１８４ｂがミキサ１８４ａに出力する信号の発振周波数を変更することにより、８７．５ＭＨｚ〜１０８．０ＭＨｚの帯域幅に含まれる搬送周波数のデジタルＲＦ信号をすべてＩＦ信号に変換することになるが、中央制御部１６０が、ラジオ放送局１０２の搬送波の数（例えば、４００）だけミキサ機能部１７０を備え、各ミキサ機能部１７０の発振器１８４ｂの周波数を固定してもよい。また、中央制御部１６０がミキサ機能部１７０を３以上備える場合、１のミキサ機能部１７０が、ユーザによる操作部１５０への操作入力に応じた１の搬送周波数のＲＦ信号に対応するＩＦ信号に変換し、他のミキサ機能部１７０は、８７．５ＭＨｚ〜１０８．０ＭＨｚの帯域幅を他のミキサ機能部１７０の数で分割した帯域幅に含まれるデジタルＲＦ信号をそれぞれＩＦ信号に変換できるように、各ミキサ機能部１７０の発振器１８４ｂが発振周波数を変更してもよい。
【００３５】
特定部１７２は、複数のミキサ機能部１７０のうち、ユーザによる操作部１５０を通じた操作入力に応じた、受信可能な搬送周波数のＲＦ信号に対応するＩＦ信号に変換している任意のミキサ機能部１７０（ここでは、ミキサ機能部１７０ａ）を特定する。
【００３６】
検波機能部１７４（図中、１７４ａ、１７４ｂで示す）は、ミキサ機能部１７０ごとに設けられ、複数のＩＦ信号を検波する。
【００３７】
同一判定部１７６は、特定部１７２が特定したミキサ機能部１７０ａで変換されたＩＦ信号の番組内容と、他のミキサ機能部１７０ｂで変換された、ＩＦ信号の番組内容とが同一であるか否か判定する。本実施形態において同一判定部１７６は、所定の時間範囲における検波されたＩＦ信号の波形が略同一であるか否かで、ミキサ機能部１７０ａが変換したＩＦ信号の番組内容と、ミキサ機能部１７０ｂが変換した複数のＩＦ信号から順次抽出された１のＩＦ信号の番組内容が同一であるか否か判定する。具体的に同一判定部１７６は、所定の時間範囲における検波された、ミキサ機能部１７０ａが変換したＩＦ信号と、ミキサ機能部１７０ｂが変換した複数のＩＦ信号から順次抽出された１のＩＦ信号の波形の二乗平均誤差が所定の値より小さくなると同一と判断したり、所定の時間範囲における検波された、ミキサ機能部１７０ａが変換したＩＦ信号と、ミキサ機能部１７０ｂが変換した複数のＩＦ信号から順次抽出された１のＩＦ信号の波形の相関値が所定の値以上となると同一と判断したりする。
【００３８】
図４は、同一判定部１７６の処理を説明するための説明図である。例えば、同一判定部１７６は、図４（ａ）に示す、ミキサ機能部１７０ａが変換したＩＦ信号の波形と、図４（ｂ）に示す、ミキサ機能部１７０ｂが変換したＩＦ信号の波形の二乗平均誤差を算出し、その二乗平均誤差が所定の値より小さいことにより、これらのＩＦ信号は、番組内容が同一であると判定する。また、同一判定部１７６は、図４（ａ）に示す、ミキサ機能部１７０ａが変換したＩＦ信号の波形と、図４（ｃ）に示す、ミキサ機能部１７０ｂが変換したＩＦ信号の波形の二乗平均誤差を算出し、その二乗平均誤差が所定の値より大きいことにより、これらのＩＦ信号は、番組内容が同一でないと判定する。
【００３９】
なお、受信部１５４が欧州の地上波ラジオ放送波のＲＦ信号を受信する場合、同一判定部１７６は、ＲＦ信号に重畳されたＲＤＳ情報のＰＩ（Program Identification）コードが同一であるか否かで、番組内容が同一であるか否かを判定することもできる。ＰＩコードは、個々の番組とその番組が放送されている国を示す識別子である。したがって、ＰＩコードが等しいと番組内容も等しいと判定できる。
【００４０】
また、同一判定部１７６は、ＩＦ信号を、そのまま、高速フーリエ変換（Fast Fourier Transform：ＦＦＴ）した結果を比較し、その差分が所定の範囲内であるかを判定し、番組内容が同一か否かを判定してもよい。
【００４１】
そして、同一判定部１７６は、番組内容が同一であると判定すると、スイッチ１７８を閉にする。
【００４２】
合成部１８０は、同一と判定された複数のＩＦ信号を合成して合成番組信号を生成する。音声制御部１８２は、生成された合成番組信号を検波（復調）して音声出力部１６２へ出力させる。
【００４３】
音声出力部１６２は、スピーカ等で構成され、音声制御部１８２の制御指令に応じて、検波された合成番組信号を音声に変換する。
【００４４】
以上説明したように、本実施形態にかかるラジオ受信機１１０によれば、１つのアンテナ１５２および１つのチューナ（受信部１５４およびＡ／Ｄ変換部１５６）で、所定の周波数帯域のＲＦ信号を一度にデジタルＲＦ信号に変換できるため、複数のアンテナを用意したり、複数のチューナを用意することなく、生成された複数のＩＦ信号のうち、選局されているＩＦ信号と同一のＩＦ信号を容易かつ迅速に抽出することが可能となる。
【００４５】
また、合成部１８０が、同一判定部１７６が同一であると判定したＩＦ信号を合成して合成番組信号を生成するため、合成前の各ＩＦ信号に比べて、同一のＩＦ信号のＳＮＲ（Signal to Noise Ratio）を上げることが可能となる。
【００４６】
また、コンピュータを、ラジオ受信機１１０として機能させるプログラムや当該プログラムを記録した、コンピュータで読み取り可能なフレキシブルディスク、光磁気ディスク、ＲＯＭ、ＥＰＲＯＭ、ＥＥＰＲＯＭ、ＣＤ（Compact Disc）、ＤＶＤ（Digital Versatile Disc）、ＢＤ（Blu-ray Disc）等の記憶媒体も提供される。ここで、プログラムは、任意の言語や記述方法にて記述されたデータ処理手段をいう。
【００４７】
（ラジオ受信方法）
図５は、ラジオ受信方法の処理の流れを説明したフローチャートである。ここでは、Ａ／Ｄ変換部１５６が変換するＲＦ信号の帯域が８７．５ＭＨｚ〜１０８．０ＭＨｚである場合を例に挙げて説明する。本実施形態において、ラジオ受信方法は、４０ＭＨｚの割り込み信号に応じた、割り込み処理として動作する。図５に示すように、ラジオ受信機１１０のＡ／Ｄ変換部１５６は、受信部１５４が受信した所定の周波数帯域のＲＦ信号を一度にデジタルＲＦ信号に変換する（Ｓ２０２）。
【００４８】
そして、ミキサ機能部１７０ａは、Ａ／Ｄ変換ステップＳ２０２で変換されたデジタルＲＦ信号を、ユーザによる操作部１５０を通じた操作入力に応じた、受信可能な搬送周波数のＲＦ信号に対応するＩＦ信号に変換し、特定部１７２は、複数のミキサ機能部１７０のうち、ユーザの操作入力に応じた搬送周波数のＲＦ信号に対応するＩＦ信号に変換しているミキサ機能部１７０ａを特定する（Ｓ２０４）。検波機能部１７４ａは、特定ステップＳ２０４で特定されたミキサ機能部１７０ａが変換したＩＦ信号を検波する（Ｓ２０６）。
【００４９】
一方、ミキサ機能部１７０ｂは、ＩＦ信号への変換を試みるデジタルＲＦ信号の搬送周波数として、ＲＦ信号の帯域の最小周波数である８７．５ＭＨｚを設定し（Ｓ２０８）、８７．５ＭＨｚのデジタルＲＦ信号を抽出してＩＦ信号に変換する（Ｓ２１０）。検波機能部１７４ｂは、ＩＦ変換ステップＳ２１０で変換されたＩＦ信号を検波する（Ｓ２１２）。
【００５０】
そして同一判定部１７６は、検波ステップＳ２０６で検波されたＩＦ信号（特定部１７２が特定したミキサ機能部１７０ａが変換したＩＦ信号）と、検波ステップＳ２１２で検波されたＩＦ信号（ミキサ機能部１７０ｂが変換したＩＦ信号）とが同一であるか否かを判定する（Ｓ２１４）。
【００５１】
検波ステップＳ２１２で検波されたＩＦ信号の番組内容が、検波ステップＳ２０６で検波されたＩＦ信号の番組内容と同一であると判定されると（Ｓ２１４におけるＹＥＳ）、ＩＦ変換ステップＳ２１０で変換されたＩＦ信号をメモリ１５８に保持させる（Ｓ２１６）。そして、ＩＦ信号への変換を試みるデジタルＲＦ信号の搬送周波数に例えば５０ｋＨｚを加算し（Ｓ２１８）、ＩＦ信号の変換元のデジタルＲＦ信号の搬送周波数が、ＲＦ信号の帯域の最大周波数である１０８．０ＭＨｚであるか否かを判定し（Ｓ２２０）、最大周波数でなければ（Ｓ２２０におけるＮＯ）、ＩＦ変換ステップＳ２１０以降の処理を遂行する。
【００５２】
検波ステップＳ２１２で検波されたＩＦ信号の番組内容が、検波ステップＳ２０６で検波されたＩＦ信号の番組内容と同一でないと判定されると（Ｓ２１４におけるＮＯ）、ＩＦ信号のメモリ１５８への記録を行わず、周波数変更ステップＳ２１８以降の処理を遂行する。こうして、ラジオ放送局１０２の搬送波の帯域幅である５０ｋＨｚ毎に、ミキサ機能部１７０ａが変換したＩＦ信号と同一の番組内容のＩＦ信号の有無を確認することができる。
【００５３】
ＩＦ信号の変換元のデジタルＲＦ信号の搬送周波数が、ＲＦ信号の帯域の最大周波数であれば（Ｓ２２０におけるＹＥＳ）、すなわち受信部１５４が受信したＲＦ信号の帯域幅に含まれるすべての搬送周波数のＲＦ信号に対応するＩＦ信号の番組内容と、検波ステップＳ２０６で検波されたＩＦ信号の番組内容とが同一であるか否かの判定を終了すると、中央制御部１６０は、メモリ１５８にＩＦ信号が保持されているか否かを判定し（Ｓ２２２）、保持されていれば（Ｓ２２２におけるＹＥＳ）、合成部１８０は、保持ステップＳ２１６において、メモリ１５８に保持させたすべてのＩＦ信号を合成して合成番組信号を生成し（Ｓ２２４）、音声制御部１８２は、合成番組信号を検波して音声出力部１６２に出力させる（Ｓ２２６）。メモリ判定ステップＳ２２２において、メモリ１５８にＩＦ信号が保持されていなければ（Ｓ２２２におけるＮＯ）、音声制御部１８２は、検波ステップＳ２０６で検波されたＩＦ信号を音声出力部１６２へ出力させる（Ｓ２２６）。
【００５４】
以上説明したように、本実施形態にかかるラジオ受信方法においても、１または複数のラジオ放送局１０２の搬送周波数のＲＦ信号を１つのアンテナ１５２および１つのチューナ（受信部１５４およびＡ／Ｄ変換部１５６）で一度に取得できる技術を利用して、容易に周波数ダイバシティを行うことが可能となる。
【００５５】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５６】
なお、本明細書のラジオ受信方法の各工程は、必ずしもフローチャートとして記載された順序に沿って時系列に処理する必要はなく、並列的あるいはサブルーチンによる処理を含んでもよい。
【産業上の利用可能性】
【００５７】
本発明は、ラジオ受信機、ラジオ受信方法およびプログラムに利用することができる。
【符号の説明】
【００５８】
１１０  …ラジオ受信機
１５０  …操作部
１５２  …アンテナ
１５４  …受信部
１５６  …Ａ／Ｄ変換部
１５８  …メモリ
１６０  …中央制御部
１６２  …音声出力部
１７０  …ミキサ機能部
１７２  …特定部
１７４  …検波機能部
１７６  …同一判定部
１７８  …スイッチ
１８０  …合成部
１８２  …音声制御部
【図１】
2012134738.tif 000003
【図２】
2012134738.tif 000004
【図３】
2012134738.tif 000005
【図４】
2012134738.tif 000006
【図５】
2012134738.tif 000007